(57)【要約】      （修正有）【課題】建築物の改装時に、電気機器収納用箱の外観を刷新しやすいようにすること。【解決手段】四角形状の枠部１１と、扉２を回動自在に支持するヒンジと、枠部を壁面４に固定する際に用いられる固定部である固定孔１３と、を備えた電気機器収納用箱の枠体とする。このため、建築物の改装時に、電気機器収納用箱の外観が刷新しやすくなる。固定部としては、ネジを挿通するための固定孔以外にも、壁に設けた孔に挿入するフック等の固定手段を備えたものであってもよい。【選択図】図３
2019140869.tif 000002
【特許請求の範囲】
【請求項１】
四角形状の枠部と、扉を回動自在に支持するヒンジと、枠部を壁面に固定する際に用いられる固定部と、を備えた電気機器収納用箱の枠体。
【請求項２】
固定部を扉により被覆される位置に設けた請求項１に記載の枠体。
【請求項３】
固定部を枠部の周縁部に設けた請求項１に記載の枠体。
【請求項４】
保護板保持部を枠部に設けた請求項１乃至３の何れかに記載の枠体。
【請求項５】
請求項１乃至４の何れかに記載の枠体と、壁に埋設された電気機器収納用箱の本体部と、を分離して壁に設置可能な電気機器収納用箱。
【発明の詳細な説明】
【技術分野】
【０００１】
本発明は、電気機器収納用箱の枠体及び電気機器収納用箱に関するものである。
【背景技術】
【０００２】
特許文献１に記載されているように、建築物のコンクリートなどに電気機器収納用箱を埋め込んで設置することが知られている。集合住宅などがこのような設置方法を選択した場合、電気機器収納用箱全体の取り換えは困難であるため、埋め込まれた電気機器収納用箱の本体部はそのまま残し、ブレーカなどの内部機器を入れ替えた後、枠体及び扉のみの取り換えを行うことがある。
【先行技術文献】
【特許文献】
【０００３】
【特許文献１】特表２０１５−５１３８８７号公報
【０００４】
ところで、枠体や扉を交換しようとしても、当初の設置時から年月が経っているため、全く同じものを手に入れるのは困難な場合が多い。この場合、代替品を入手することになるが、代替品として用意した枠体などの寸法が埋設された本体部と適合しないことにより、代替品が上手く本体部に組みつけることができないことが多かった。
【発明の概要】
【発明が解決しようとする課題】
【０００５】
本件の発明者は、この点について鋭意検討することにより、解決を試みた。本発明の課題は、建築物の改装時に、電気機器収納用箱の外観を刷新しやすいようにすることである。
【課題を解決するための手段】
【０００６】
上記課題を解決するため、四角形状の枠部と、扉を回動自在に支持するヒンジと、枠部を壁面に固定する際に用いられる固定部と、を備えた電気機器収納用箱の枠体とする。
【０００７】
また、固定部を扉により被覆される位置に設けた構成とすることが好ましい。
【０００８】
また、固定部を枠部の周縁部に設けた構成とすることが好ましい。
【０００９】
また、保護板保持部を枠部に設けた構成とすることが好ましい。
【００１０】
また、上記枠体と、壁に埋設された電気機器収納用箱の本体部と、を分離して壁に設置可能な電気機器収納用箱とすることが好ましい。
【発明の効果】
【００１１】
本発明では、建築物の改装時に、電気機器収納用箱の外観を刷新しやすいようにすることが可能となる。
【図面の簡単な説明】
【００１２】
【図１】第一の実施例の枠体に扉を付けた状態を示した斜視図である。
【図２】第一の実施例の枠体が本体部周りに固定された状態を示した斜視図である。
【図３】図１の貫通孔周りのＩＩＩ−ＩＩＩ断面図である。
【図４】図２の枠部周りのＩＶ−ＩＶ断面図である。
【図５】本体部の斜視図である。
【図６】扉が取り付けられた第一の実施例の枠体が、本体部が埋設された壁の壁面に固定された状態を表した図である。
【図７】第一の実施例の枠体が、本体部が埋設された壁の壁面に固定された状態における枠体と本体部との位置関係を表した図である。
【図８】保護板保持部であるヒンジを内枠部に取り付けた状態を表した図である。
【図９】第二の実施例の枠体に扉を付けた状態を示した斜視図である。
【図１０】第二の実施例の枠体が本体部周りに固定された状態を示した斜視図である。
【図１１】図９のＸＩ−ＸＩ断面図である。
【図１２】扉が取り付けられた第二の実施例の枠体が、本体部が埋設された壁の壁面に固定された状態を表した図である。
【図１３】第二の実施例の枠体が、本体部が埋設された壁の壁面に固定された状態における枠体と本体部との位置関係を表した図である。
【発明を実施するための形態】
【００１３】
以下に発明を実施するための形態を示す。本実施形態の枠体１は、壁に埋設された電気機器収納用箱１０に用いられるものであり、四角形状の枠部１１と、扉２を回動自在に支持するヒンジ１７と、枠部１１を壁面４に固定する際に用いられる固定部である固定孔１３と、を備えている。このため、建築物の改装時に、電気機器収納用箱１０の外観が刷新しやすくなる。固定部としては、ネジを挿通するための固定孔１３以外にも、壁に設けた孔に挿入するフック等の固定手段を備えたものであってもよい。
【００１４】
第一の実施例の枠体１は、図１及び図２に示すことから理解されるように、正面視で四角形状の枠部１１を備えている。また、図２及び図３に示すことから理解されるように、この枠部１１は、表面が扉２の表面と略同一平面を形成するように構成された外枠部１１ａと、外枠部１１ａより内側に位置する内枠部１１ｂを備えている。枠部１１は板部材を加工することで設けられており、扉２の表面と外枠部１１ａの表面を略同一面上に形成するために、外枠部１１ａが中空状となるように構成されている（図３及び図４参照）。
【００１５】
第一の実施例では、図３に示すことから理解されるように、外枠部１１ａに固定孔１３が設けられている。より詳しくは、板部材の端部を内側に屈曲させて形成した折り曲げ部１２に固定孔１３を設けている。この折り曲げ部１２は、壁面４と平行な面となるように形成されている。この固定孔１３は、外枠部１１ａの表面側の部位に覆われるため、外枠部１１ａの表面には固定孔１３に対応する位置に貫通孔１４を設けている。雄ねじ９１などを用いて枠体１を壁に固定する場合には、この貫通孔１４を介して固定孔１３にアクセスすれば良い。枠体１を壁に固定した後は、貫通孔１４をカバーなどで塞いでも良い。このように固定孔１３を枠部１１の周縁部に設けた構成とすることで、枠体１の周縁部に対して壁面４に固定する力が働く構造となるため、枠体１の周縁部と壁面４の間に隙間が生じにくくなる。なお、本実施例の貫通孔１４及び固定孔１３は外枠部１１ａの上部及び下部の双方に設けている。
【００１６】
扉２が取り付けられた枠体１は、図５に示すような本体部５の開口側を覆うように設置される。実施形態の本体部５は、コンクリートなどにより設けられた壁に埋め込まれた既設の部材であるが、図６に示すように、壁面４に埋設された本体部５を枠体１などで覆ってしまえば、本体部５と枠体１を分離して壁に設置した電気機器収納用箱１０とすることができる。このようにすれば、扉２を開かない限り本体部５が見えることが無いため、見栄えを良くすることができる。
【００１７】
本実施例の内枠部１１ｂは壁面４と略平行となるように延びる平面板部１５と、平面板部１５の端部から本体部５側に延びる折返し部１６からなり、平面板部１５と折返し部１６が断面視で略Ｌ字状となるように構成されている。内枠部１１ｂの平面板部１５は、外枠部１１ａの固定孔１３が設けられた折り曲げ部１２と略同一面上に位置するように構成している。したがって、図６及び図７に示すように、内枠部１１ｂの平面板部１５に扉２用のヒンジ１７を取り付けた場合、扉２を手前側で保持可能である。したがって、枠体１の設置時に既設の本体部５の構造が障害になりにくくなる。なお、本実施例では本体部５の開口端５１が外枠部１１ａに差し込まれるような構造であり、内枠部１１ｂが本体部５の内側に位置するような構成となっている。
【００１８】
一方、内枠部１１ｂの平面板部１５を外枠部１１ａの折り曲げ部１２よりも奥側に位置する構造とすれば、枠体１が壁面４から突出することを抑制することが可能となる。
【００１９】
内枠部１１ｂの折返し部１６には図８に示すように、ヒンジ１８を取り付けることもできる。このようにすれば、保護板（図示せず）を回動自在に保持させることができる。ヒンジ１８などの保護板保持部を枠部１１に設けた構成とすることで、保護板の設置の検討の手間を省くことが可能となる。また、保護板を保持するヒンジ１８は枠体１の右側若しくは左側の部位に取り付ければ、回動軸が垂直方向に延びるものとすることができるため、保護板の開閉操作がし易くなる。
【００２０】
次に第二の実施例について説明する。この実施例では、図９乃至図１１に示すことから理解されるように、内枠部１１ｂに固定孔１３が設けられている。本実施例の内枠部１１ｂは平面状に構成されており、この内枠部１１ｂが壁面４と平行となるように配置される。内枠部１１ｂの外側に位置する外枠部１１ａは中空形状であり、構成する板の端部を内側に折り曲げることで、壁面４と平行に延びる面１９を形成している。この面１９は、内枠部１１ｂと同一平面上に延びるように構成されており、この面１９と内枠部１１ｂの双方が壁面４に接するように配置することができる。
【００２１】
この実施例では、内枠部１１ｂに固定孔１３が設けられる形態であり、固定孔１３が扉２により被覆される位置に設けられている。このため、固定孔１３は扉２を開放しない限り視認されることは無い。また、固定孔１３に取り付けられる雄ねじ９１等の固定部材が扉２に覆われることになり、固定部材の劣化を抑制することができる。
【００２２】
また、実施例では、内枠部１１ｂが本体部５の外側に位置するように構成されている。このため、図１２及び図１３に示すことから理解されるように、扉２が本体部５の外側を覆うような構成とすることができ、扉２を開放した際に、本体部５の開口を十分に利用することができる。このため、本体部５の開口を十分に利用しやすく、内部機器などの設置作業や点検作業に有利である。なお、この実施例では、内枠部１１ｂが扉２の開口よりも外側に位置する構成であるため、扉２を開放した際、本体部５の開口端５１が露出する。
【００２３】
以上、実施形態を用いて本発明を説明してきたが、本発明は上記実施形態に限定されることはなく、各種の態様とすることが可能である。例えば、既設の本体部ではなく、新設の本体部を用いて電気機器収納用箱を構成することも可能である。
【符号の説明】
【００２４】
１  枠体
２  扉
４  壁面
５  本体部
１０  電気機器収納用箱
１１  枠部
１３  固定孔
１７  ヒンジ（扉用）
【図１】
2019140869.tif 000003
【図２】
2019140869.tif 000004
【図３】
2019140869.tif 000005
【図４】
2019140869.tif 000006
【図５】
2019140869.tif 000007
【図６】
2019140869.tif 000008
【図７】
2019140869.tif 000009
【図８】
2019140869.tif 000010
【図９】
2019140869.tif 000011
【図１０】
2019140869.tif 000012
【図１１】
2019140869.tif 000013
【図１２】
2019140869.tif 000014
【図１３】
2019140869.tif 000015